(57)【要約】【課題】疲労限度を超えるような交番圧力が作用した場合でも破裂が生じないようなラプチャーディスクを提供する。【解決手段】環状スペーサ２の一方の表面に外側シェルが取り付けられ、他方の表面に受圧部である内側シェル４が配置され、且つこれら両シェル同士間の空間部に圧力変動を緩和させ得る充填材５が配置されるとともに、内側シェル４が、環状スペーサ２に取り付けられた環状支持リング６により支持されてなるラプチャーディスクであって、環状支持リングにより内側シェルの外周部を支持するとともにこれら両対向面同士の環状隙間に、圧力変動による圧力波の伝播を軽減し得る軽減機構７を具備させ、この軽減機構を、環状支持リングおよび内側シェルに、それぞれ同心状に複数本形成された環状突起１１，１２にて構成するとともに、これら環状突起を互いに櫛歯状となるように配置させたものである。【選択図】図２
2008045667.tif 000002
【特許請求の範囲】
【請求項１】
所定厚さの環状スペーサの一方の表面に耐圧部である外側シェルが取り付けられるとともに他方の表面に受圧部である内側シェルが配置され、且つこれら両シェル同士の空間部に圧力変動を緩和させ得る充填材が配置されるとともに、内側シェルが、上記環状スペーサの他方の表面に取り付けられた環状支持リングにより支持されてなるラプチャーディスクであって、
上記環状支持リングにより内側シェルの外周部を支持するとともにこれら両対向面同士の環状隙間に、圧力変動による圧力波の伝播を軽減し得る軽減機構を具備させたことを特徴とするラプチャーディスク。
【請求項２】
軽減機構を、
環状支持リングおよび内側シェルに、それぞれ同心状に複数本形成された環状突起にて構成するとともに、
上記環状支持リングおよび内側シェルのいずれか一方に形成された環状突起を、他方に形成された環状突起同士の間に位置させるように配置したことを特徴とする請求項１に記載のラプチャーディスク。
【請求項３】
軽減機構を、
環状支持リングおよび内側シェルのいずれか一方に同心状に複数本形成された環状突起と、これら環状突起同士間に配置された充填材と、上記内側シェルおよび環状支持リングのいずれか他方に形成されて上記充填材に押圧される環状突起とで構成したことを特徴とする請求項１に記載のラプチャーディスク。
【請求項４】
軽減機構を、
環状支持リングおよび内側シェルのいずれか一方に形成された環状突起と、上記環状支持リングおよび内側シェルのいずれか他方に形成されて上記環状突起を案内し得る環状凹部を有する係合部材とで構成したことを特徴とする請求項１に記載のラプチャーディスク。
【請求項５】
内側シェルの受圧面側に錘部材を取り付けたことを特徴とする請求項１乃至４のいずれか一項に記載のラプチャーディスク。
【請求項６】
外側シェルと内側シェルとの間に形成される空間部にアキュームレータを接続したことを特徴とする請求項１乃至４のいずれか一項に記載のラプチャーディスク。
【発明の詳細な説明】
【技術分野】
【０００１】
本発明は、ラプチャーディスクに関するものである。
【背景技術】
【０００２】
近年、ガスエンジンを用いて発電を行うとともにその際に発生する熱エネルギー（排ガスや冷却水からの排熱）を回収するようにしたガスエンジン・コージェネ設備が採用されている。
【０００３】
そして、ガスエンジン・コージェネ設備におけるガスエンジンの排ガスの排出系統においては、図７に示すように、ガスエンジン５１から排出される圧力変動が大きく且つ高温の排ガスを導く排気ダクト５２にはサイレンサ５３が接続されるとともに、異常圧力例えば高圧が発生した場合に、大気に放出するためのガス放出管５４がその分岐ダクト部５２ａに接続されており、さらにこのガス放出管５４における分岐ダクト部５２ａへの接続部には、ラプチャーディスク５５が設けられている（例えば、特許文献１参照）。
【０００４】
ところで、ガスエンジン５１から排出される排ガスは高温であるため、ラプチャーディスク５５として、断熱材が挿入された二重構造のものが採用されている。
例えば、このラプチャーディスクは、所定厚さの環状スペーサの一方の表面に耐圧部である外側シェルが取り付けられるとともに他方の表面に受圧部である内側シェルが配置され、且つこれら両シェル同士間に形成される空間部に圧力変動を緩和させ得るとともに断熱用としてグラスウールなどの充填材（断熱材でもある）が配置され、さらに内側シェルが、上記環状スペーサの他方の表面に取り付けられた環状支持リングにより支持されたものであった。勿論、上記外側シェルに、排ガスの圧力が所定値（所謂、設定圧力である）以上になると破断するような応力集中部が形成されている。
【特許文献１】特公平０６−１０４１９１号公報
【発明の開示】
【発明が解決しようとする課題】
【０００５】
上記ラプチャーディスクの構成によると、内側シェルは環状支持リング上に載置された状態であるため、排ガスの圧力変動については、殆どが、両シェル同士間の空間部すなわち充填材を介して外側シェルに伝わってしまう。
【０００６】
このため、上記圧力変動、所謂交番圧力が、ラプチャーディスクの設定圧力（破裂圧力ともいう）を超えない場合で且つ当該ラプチャーディスクの疲労限度に近い値またはそれを超えるような場合には、外側シェルに予め設けられている応力集中部が金属疲労を起こし、ラプチャーディスクが破裂してしまうという問題がある。
【０００７】
そこで、本発明は、例えば疲労限度に近い値またはそれを超えるような交番圧力が作用した場合でも、応力集中部が疲労破壊するのを防止し得るラプチャーディスクを提供することを目的とする。
【課題を解決するための手段】
【０００８】
上記課題を解決するため、本発明に係るラプチャーディスクは、所定厚さの環状スペーサの一方の表面に耐圧部である外側シェルが取り付けられるとともに他方の表面に受圧部である内側シェルが配置され、且つこれら両シェル同士の空間部に圧力変動を緩和させ得る充填材が配置されるとともに、内側シェルが、上記環状スペーサの他方の表面に取り付けられた環状支持リングにより支持されてなるラプチャーディスクであって、
上記環状支持リングにより内側シェルの外周部を支持するとともにこれら両対向面同士の環状隙間に、圧力変動による圧力波の伝播を軽減し得る軽減機構を具備させたものである。
【０００９】
また、本発明の他のラプチャーディスクは、上記ラプチャーディスクにおける軽減機構を、
環状支持リングおよび内側シェルに、それぞれ同心状に複数本形成された環状突起にて構成するとともに、上記環状支持リングおよび内側シェルのいずれか一方に形成された環状突起を、他方に形成された環状突起同士の間に位置させるように配置したものであり、
また環状支持リングおよび内側シェルのいずれか一方に同心状に複数本形成された環状突起と、これら環状突起同士間に配置された充填材と、上記内側シェルおよび環状支持リングのいずれか他方に形成されて上記充填材に押圧される環状突起とで構成したものであり、
また環状支持リングおよび内側シェルのいずれか一方に形成された環状突起と、上記環状支持リングおよび内側シェルのいずれか他方に形成されて上記環状突起を案内し得る環状凹部を有する係合部材とで構成したものである。
【００１０】
さらに、本発明の他のラプチャーディスクは、上記各ラプチャーディスクにおける内側シェルの受圧面側に錘部材を取り付けたものであり、
また上記各ラプチャーディスクにおける外側シェルと内側シェルとの間に形成される空間部にアキュームレータを接続したものである。
【発明の効果】
【００１１】
上記各ラプチャーディスクの構成によると、圧力変動が大きい排ガスの排出系統に設けられるラプチャーディスクの内側シェルとその環状支持リングとの対向面に、環状突起が櫛歯状に設けられてなる圧力変動による圧力波の軽減機構、または一方に設けられた環状突起同士間に配置された充填材に他方に設けられた環状突起が押圧されてなる圧力変動による圧力波の軽減機構、または一方に設けられた環状突起と他方に設けられて当該環状突起を案内し得る環状凹部を有する係合部材とからなる圧力変動による圧力波の軽減機構を設けたので、内側シェル側から外側シェルに伝わる圧力変動を軽減させることができ、したがって例えば疲労限度に近い交番圧力またはそれを超えるような交番圧力が作用した場合でも、ラプチャーディスク自身が破裂するのを防止することができる。
【００１２】
また、ラプチャーディスクの内側シェルに錘部材を取り付けることにより、外側シェルに伝わる圧力波を一層軽減させることができ、
さらにラプチャーディスクの外側シェルと内側シェルとの間に形成される空間部にアキュームレータを接続することにより、当該空間部に伝わる圧力変動をアキュームレータにて吸収することができるので、やはり、外側シェルに伝わる圧力波を一層軽減させることができる。
【発明を実施するための最良の形態】
【００１３】
［実施の形態］
以下、本発明の実施の形態に係るラプチャーディスクについて説明する。
ここでのラプチャーディスクは、背景技術の欄で説明したように、排ガスの圧力変動が大きく且つ温度が高いガスエンジンからの排ガスの排出系統に設けられるものとして説明する。なお、ガスエンジンのガス排出系統についての説明は、背景技術の欄で説明したものと同一であるため省略する。
【００１４】
図１に示すように、ガスエンジンから排出される排ガスの排出系統を構成する排気ダクトに接続されたガス放出管の基端部に取り付けられるラプチャーディスク１は、概略的には、所定厚さの環状スペーサ２の一方の表面に耐圧部である外側シェル３がそのフランジ部（外周縁部）３ａを介して取り付けられるとともに他方の表面には受圧部である内側シェル４が配置され、且つこれら両シェル３，４同士間に形成される空間部Ｓに、圧力変動による圧力波を軽減（緩和）させ得る断熱材としてのグラスウールなどの充填材５が配置されるとともに、内側シェル４が、環状スペーサ２の他方の表面に取り付けられた環状支持リング６により支持されたものであり、さらに上記環状支持リング６の内周部６ａにより内側シェル４の外周部４ａを支持するとともにこれら環状支持リング６と内側シェル４の外周部４ａとの対向面同士間に形成される環状隙間には、圧力変動による圧力波の伝播を軽減（減衰）し得る軽減機構（減衰機構ともいえる）７が具備されたものである。なお、ここで示す環状は、正確に言うと円環状である。
【００１５】
ところで、外側シェル３のフランジ部３ａ以外の中央本体部３ｂと内側シェル４については、外方に膨出するように椀状（割球面とも言う）に形成されており、当然に、外側シェル３には、図示しないが、異常な圧力、例えば高圧が作用した場合に（設定圧力を超えた場合に）破裂するように、ノッチ、スリットなどの応力集中部（破断部でもある）が予め形成されている。なお、この応力集中部は、圧力変動による圧力波を受けて振動した場合、すなわち疲労限度に近い交番圧力（疲労限度に相当する交番圧力も含まれる）または疲労限度を超えるような交番圧力を受けた場合に、疲労破壊などを起こしやすいもので、例えば通常、外側シェル３の本体中央部３ｂとフランジ部３ａとの境界部分に形成されている。
【００１６】
次に、圧力変動による圧力波の伝播を軽減し得る軽減機構７について説明する。
この軽減機構７としては、図２に示すように、環状支持リング６の内周部６ａと内側シェル４の外周部４ａとの対向面に、それぞれ同心状に複数本ずつ例えば３本ずつ板状の環状突起１１，１２が形成されるとともに、これら環状突起１１，１２同士は、相手方の突起同士間に形成される環状溝部１３，１４内に入り込むように配置されている。
【００１７】
言い換えれば、櫛歯状に形成された環状突起１１，１２同士が互いに嵌り合ってラビリンス構造が形成されていることになる。
このように、環状突起１１，１２同士が互いに嵌り込み合っているため、排気ダクトからの排ガスの圧力変動による圧力波がこれら環状突起１１，１２同士間を通過する際に、つまりラビリンス構造により圧力損失が発生し、外側シェル３に伝わる圧力波が軽減されることになる。なお、図面上、見やすくするために、環状スペーサ２と各シェル３，４および環状支持リング６との間にそれぞれ隙間があるように図示したが、勿論、実際には密着状態にされている。
【００１８】
ここで、上記ラプチャーディスク１における全体的な作用について説明しておく。
すなわち、ガスエンジンからの排ガスは排気ダクトに入るとともに、その一部はサイレンサを通過して排熱回収ボイラに導かれる。
【００１９】
ところで、排気ダクト入口側の圧力が上昇した場合、排気ダクト入口とラプチャーディスク１付近との間に圧力差が生じ、これに伴って、排気ダクト入口からラプチャーディスク１付近に向かう圧力波が発生し、つまり、圧力変動が内側シェル４に伝わることになる。
【００２０】
そして、この圧力変動が、ラプチャーディスク１の設定圧力を超えるような異常圧力である場合には、両シェル３，４同士間の空間部Ｓを介して内側シェル４から外側シェル３に圧力波が伝わり、外側シェル３に形成された応力集中部が破断して高圧の排ガスが大気に逃がされることになる。
【００２１】
一方、圧力変動がすなわち交番圧力が設定圧力を越えないようなものであるとともに、ラプチャーディスク１の疲労限度に近い値である場合または疲労限度を超えるようなものである場合には、その圧力波は両シェル３，４同士間の環状隙間から空間部Ｓに入り外側シェル４に伝わることになるが、環状隙間に設けられた軽減機構７である環状突起１１，１２同士によるラビリンス構造にて、圧力波が軽減（減衰）されるため、外側シェル３に形成された応力集中部の疲労破壊が抑制され、ラプチャーディスク１自身の破裂が防止される。勿論、空間部Ｓに配置された充填材５が変形することにより、また環状隙間から空間部Ｓ内に入り広がることにより、圧力波が減衰される。なお、交番圧力が疲労限度に近い値またはそれを超えるような場合について説明したが、勿論、疲労限度より小さい場合でも、その圧力波は減衰される。
【００２２】
このように、圧力変動が大きい排ガスの排出系統に設けられるラプチャーディスクの内側シェルとその環状支持リングとの対向面同士間の環状隙間に、板状の環状突起が互いに入り込むように設けられてなるラビリンス構造の軽減機構を設けたので、圧力変動による圧力波が外側シェルに伝わるのを抑制することができ、したがってラプチャーディスクの長寿命化を図ることができる。
【００２３】
ところで、上記説明においては、軽減機構７として環状突起を櫛歯状に配置したものとしたが、例えば図３に示すように、内側シェル４の外周部４ａの下面に環状突起として、例えばリング体２１を環状取付材２２を介して取り付けるとともに、環状支持リング６の内周部６ａの上面に上記リング体２１を下方から案内支持し得る環状凹部２３ａを有する断面がＶ字状の係合部材２３とから構成してもよい。勿論、これらリング体２１と係合部材２３とにより、圧力波が外側シェル３に伝わるのを軽減（抑制）することができる。
【００２４】
なお、上記リング体２１および係合部材２３を金属製で構成してもよく、また温度が低い場合には、合成樹脂または合成ゴムにて構成してもよい。
また、図４に示すように、軽減機構７として、環状支持リング６の内周部６ａの上面に２つの板状の環状突起３１，３１を形成するとともに、内側シェル４の外周部４ａの下面に上記両環状突起３１，３１同士間の環状溝部３２内に入り込む板状の環状突起３３を形成し、且つ上記環状溝部３２内に耐熱性を有する多孔質材料であるグラスウールなどの充填材３４を配置した構成にしてもよい。
【００２５】
さらに、上記実施の形態（軽減機構の変形例の分も含む）において、図５に示すように、内側シェル４に所定の錘部材４１を取り付けて（この場合、内側シェルの下面は、椀状ではなく水平面にされている）、外側シェル３に伝わる圧力変動による圧力波を軽減（抑制）させるようにしてもよく、また環状スペーサ２に形成された貫通穴２ａに挿入された接続配管４２を介してアキュームレータ４３を接続して、空間部Ｓ内に伝わった圧力変動をアキュームレータ４３にて吸収させることにより、外側シェル３に伝わる圧力変動による圧力波を軽減（減衰）させるようにしてもよい。
【図面の簡単な説明】
【００２６】
【図１】本発明の実施の形態に係るラプチャーディスクの断面図である。
【図２】同ラプチャーディスクを示す図１のＡ部拡大断面図である。
【図３】同ラプチャーディスクの変形例に係る図１のＡ部に相当する拡大断面図である。
【図４】同ラプチャーディスクの変形例に係る図１のＡ部に相当する拡大断面図である。
【図５】同ラプチャーディスクの変形例に係る図１のＡ部に相当する拡大断面図である。
【図６】同ラプチャーディスクの変形例に係る図１のＡ部に相当する拡大断面図である。
【図７】従来例に係るガスエンジンの排ガスの排出系統を説明する概略構成図である。
【符号の説明】
【００２７】
１      ラプチャーディスク
２      環状スペーサ
３      外側シェル
３ａ    フランジ部
４      内側シェル
４ａ    外周部
５      充填材
６      環状支持リング
６ａ    内周部
７      軽減機構
１１      環状突起
１２      環状突起
１３      環状溝部
１４      環状溝部
２１      リング体
２３      係合部材
２３ａ    環状凹部
３１      環状突起
３２      環状溝部
３３      環状突起
３４      充填材
４１      錘部材
４３      アキュームレータ
【図１】
2008045667.tif 000003
【図２】
2008045667.tif 000004
【図３】
2008045667.tif 000005
【図４】
2008045667.tif 000006
【図５】
2008045667.tif 000007
【図６】
2008045667.tif 000008
【図７】
2008045667.tif 000009